(57)【特許請求の範囲】
【請求項１】
雷からの電流が流れる避雷導線が通された柱に接続される仕口部材であって、
前記避雷導線が通される管路を備え、
前記管路は、前記仕口部材の上面及び下面のいずれかに位置する開口から、前記上面及び前記下面に隣接する側面に位置する開口にまで伸びている、
仕口部材。
【請求項２】
前記管路が予め埋め込まれたプレキャスト部材である、
請求項１に記載の仕口部材。
【請求項３】
前記側面に位置する開口は、第１開口と第２開口とを含んでおり、
前記管路は、前記下面の開口から前記第１開口にまで伸びている第１管路と、前記上面の開口から前記第２開口にまで伸びている第２管路とを含んでいる、
請求項１又は２に記載の仕口部材。
【請求項４】
前記側面に対向する位置にはスラブコンクリートが打設され、
前記第１開口及び前記第２開口の高さ位置は、打設される前記スラブコンクリートに対向する高さ位置となっている、
請求項３に記載の仕口部材。
【請求項５】
請求項４に記載の仕口部材と前記避雷導線とを備えた避雷導線の接続構造であって、
前記避雷導線は、前記第１管路に通されて前記第１開口から伸び出している第１避雷導線と、前記第２管路に通されて前記第２開口から伸び出している第２避雷導線と、を含んでおり、
前記第１避雷導線と前記第２避雷導線とは、前記側面に対向する位置で接続されており、
前記第１避雷導線と前記第２避雷導線との接続部分は、前記スラブコンクリートに埋め込まれている、
避雷導線の接続構造。
【請求項６】
仕口部材における避雷導線の接続方法であって、
前記仕口部材の下面に位置する開口に下から第１避雷導線を挿入し、前記第１避雷導線を前記仕口部材の側面に位置する第１開口から突出させる工程と、
前記仕口部材の上面に位置する開口に上から第２避雷導線を挿入し、前記第２避雷導線を前記仕口部材の側面に位置する第２開口から突出させる工程と、
前記第１開口から突出した前記第１避雷導線と、前記第２開口から突出した前記第２避雷導線とを前記側面に対向する位置で接続させる工程と、
前記第１避雷導線と前記第２避雷導線との接続部分をスラブコンクリートで埋める工程と、
を備える避雷導線の接続方法。
【発明の詳細な説明】
【技術分野】
【０００１】
本発明は、建物の避雷針等が受けた雷電流を接地設備に導く避雷導線が通される仕口部材、避雷導線の接続構造、及び避雷導線の接続方法に関する。
【背景技術】
【０００２】
特開２０００−２９９９１８号公報には、ＰＣ柱が用いられた建物の屋上の避雷針から伸びる避雷導線の接続構造が記載されている。ＰＣ柱内には、予め避雷導線が埋設されている。この避雷導線は、ＰＣ柱の内部において上下に伸びるように配置されており、避雷導線の上端はＰＣ柱の頂部から上方に突出している。また、ＰＣ柱の側面の下端には欠き込み部が設けられており、避雷導線の下端は、この欠き込み部において下方に伸びた状態で露出している。この避雷導線の接続構造としては、ＰＣ柱の頂部から上方に突出する避雷導線と、欠き込み部で下方に伸びている避雷導線とが接続端子によって接続された構造が記載されている。
【先行技術文献】
【特許文献】
【０００３】
【特許文献１】特開２０００−２９９９１８号公報
【発明の概要】
【発明が解決しようとする課題】
【０００４】
前述の避雷導線の接続構造では、ＰＣ柱の欠き込み部で２本の避雷導線を接続するため、接続後に、２本の避雷導線の接続部分をモルタル等の充填によって左官補修する必要がある。この左官補修のように余分な手間がかかっており施工が面倒なものとなっているため、施工性の点で改善の余地がある。また、上記の欠き込み部は、ＰＣ柱の側面の下端に設けられているので、避雷導線の接続部分の外側に位置するモルタル等の厚さ（被り）は薄くなっている。従って、落雷によって避雷導線に高電圧の電流が流れた場合に、ＰＣ柱の表面又は避雷導線の接続部分で爆裂が生じる可能性がある。
【０００５】
本発明は、施工性を良好にすることができると共に、避雷導線の接続部分における爆裂を回避することができる仕口部材、避雷導線の接続構造、及び避雷導線の接続方法を提供することを目的とする。
【課題を解決するための手段】
【０００６】
本発明に係る仕口部材は、雷からの電流が流れる避雷導線が通された柱に接続される仕口部材であって、避雷導線が通される管路を備え、管路は、仕口部材の上面及び下面のいずれかに位置する開口から、上面及び下面に隣接する側面に位置する開口にまで伸びている。
【０００７】
この仕口部材では、避雷導線が通される管路が、上面及び下面のいずれかに位置する開口から側面に位置する開口にまで伸びているので、柱に通された避雷導線は上面及び下面のいずれかの開口から側面の開口に通される。このように避雷導線は仕口部材の側面の開口に通されるので、側面の開口から避雷導線を引っ張り出して当該避雷導線を他の避雷導線と接続させることができる。従って、柱及び仕口部材のいずれにも前述の欠き込み部のような構造が不要であり、避雷導線接続後の左官補修も不要とすることができるため、施工性を向上させることができる。また、側面の開口から引っ張り出した避雷導線は、接続後にスラブコンクリート等で埋めることも可能であるため、避雷導線の接続部分の被り厚さを十分に確保することができる。従って、避雷導線の接続部分等で爆裂が生じる事態を回避することができる。
【０００８】
また、前述の仕口部材は、前記管路が予め埋め込まれたプレキャスト部材であってもよい。この場合、現場では、管路に避雷導線を通して当該避雷導線を他の避雷導線に接続し、この接続部分を埋め込むだけで施工を完了させることができるので、施工性がより向上される。
【０００９】
また、側面に位置する開口は、第１開口と第２開口とを含んでおり、管路は、下面の開口から第１開口にまで伸びている第１管路と、上面の開口から第２開口にまで伸びている第２管路とを含んでいてもよい。この場合、下面の開口に下から避雷導線を通して側面から引っ張り出し、上面の開口に上から別の避雷導線を通して側面から引っ張り出し、側面から引っ張り出した２本の避雷導線を接続させることができる。従って、上側の柱から下方に伸びる避雷導線と、下側の柱から上方に伸びる避雷導線とを、仕口部材の側面に対向する位置で接続させることができる。
【００１０】
また、側面に対向する位置にはスラブコンクリートが打設され、第１開口及び第２開口の高さ位置は、打設されるスラブコンクリートに対向する高さ位置となっていてもよい。この場合、仕口部材の側面に位置する第１開口及び第２開口がスラブコンクリートに対向する高さ位置となっているので、スラブコンクリートの打設によって、第１開口及び第２開口をスラブコンクリートに埋め込むことができる。従って、第１開口及び第２開口から引っ張り出された避雷導線の接続部分もスラブコンクリートに埋め込むことができる。よって、スラブコンクリートの埋め込みによって避雷導線の接続部分を確実に埋め込むことができ当該接続部分の被り厚さを十分に確保することができるので、施工性を向上させると共に爆裂の可能性を一層低減させることができる。
【００１１】
本発明に係る避雷導線の接続構造は、前述の仕口部材と避雷導線とを備えた避雷導線の接続構造であって、避雷導線は、第１管路に通されて第１開口から伸び出している第１避雷導線と、第２管路に通されて第２開口から伸び出している第２避雷導線と、を含んでおり、第１避雷導線と第２避雷導線とは、側面に対向する位置で接続されており、第１避雷導線と第２避雷導線との接続部分は、スラブコンクリートに埋め込まれている。
【００１２】
この避雷導線の接続構造では、仕口部材の下面の開口に下から第１避雷導線が通されており、この第１避雷導線は側面の第１開口から突出している。また、仕口部材の上面の開口に上から第２避雷導線が通されており、第２避雷導線は側面の第２開口から突出している。そして、仕口部材の側面側に突出している第１避雷導線と第２避雷導線とは接続されており、この接続部分はスラブコンクリートに埋め込まれている。このように、避雷導線の接続部分がスラブコンクリートの打設で埋め込まれているので、前述した左官補修等の余計な作業が不要になっていると共に、接続部分の被り厚さを十分に確保することができる。従って、施工性を向上させると共に爆裂の懸念を解消することができる。
【００１３】
本発明に係る避雷導線の接続方法は、仕口部材における避雷導線の接続方法であって、仕口部材の下面に位置する開口に下から第１避雷導線を挿入し、第１避雷導線を仕口部材の側面に位置する第１開口から突出させる工程と、仕口部材の上面に位置する開口に上から第２避雷導線を挿入し、第２避雷導線を仕口部材の側面に位置する第２開口から突出させる工程と、第１開口から突出した第１避雷導線と、第２開口から突出した第２避雷導線とを側面に対向する位置で接続させる工程と、第１避雷導線と第２避雷導線との接続部分をスラブコンクリートで埋める工程と、を備える。
【００１４】
この避雷導線の接続方法では、仕口部材の下面の開口に下から第１避雷導線を挿入し側面の第１開口から第１避雷導線を突出させ、仕口部材の上面の開口に上から第２避雷導線を挿入し側面の第２開口から第２避雷導線を突出させ、突出させた第１避雷導線と第２避雷導線とを接続する。そして、この接続部分をスラブコンクリートで埋め込んでいる。従って、前述の避雷導線の接続構造と同様、接続部分をスラブコンクリートの打設で埋め込んでいるので、施工性を向上させると共に爆裂の懸念を解消することができる。
【発明の効果】
【００１５】
本発明によれば、施工性を良好にすることができると共に、避雷導線の接続部分における爆裂を回避することができる。
【図面の簡単な説明】
【００１６】
【図１】実施形態に係る仕口部材と避雷導線の接続構造とを示す縦断面図である。
【図２】（ａ）は、図１の仕口部材の横断面図である。（ｂ）は、ＰＣ柱の横断面図である。
【図３】実施形態に係る避雷導線の接続方法を示す縦断面図である。
【図４】図３で示される接続方法の続きを示す縦断面図である。
【図５】図４で示される接続方法の続きを示す縦断面図である。
【図６】図３〜図５で示される接続方法で避雷導線の接続が完了した状態を示す縦断面図である。
【発明を実施するための形態】
【００１７】
以下、図面を参照しながら本発明の実施形態を詳細に説明する。図面の説明において同一又は同等の要素には同一の符号を付し、重複する説明を省略する。
【００１８】
図１に示されるように、本実施形態に係る仕口部材１は、例えば建物Ｓに複数設けられている。仕口部材１は、略直方体形状を呈しており、鉛直方向上下からＰＣ柱（プレキャストコンクリート柱）２によって挟み込まれている。具体的には、仕口部材１は、上面１ａと、下面１ｅと、上面１ａ及び下面１ｅに隣接する側面１ｃとを有する。また、仕口部材１は、ＰＣ梁（プレキャストコンクリート梁）３に接続されており、このＰＣ梁３とＰＣ柱２を接合している。複数の仕口部材１は上下に並んで設けられており、各仕口部材１から水平方向に延びるＰＣ梁３によって建物Ｓの各階が構成されている。
【００１９】
また、建物Ｓは避雷導線（鬼より線とも称される）Ｌを備えており、避雷導線Ｌには雷からの電流が流れる。例えば、避雷導線Ｌの上端は建物Ｓの屋上に位置する避雷針に接続されており、避雷導線Ｌの下端は地中に位置する接地極に接続されている。避雷導線Ｌは、１本のＰＣ柱２に対して１本通されている。避雷導線Ｌは、ＰＣ柱２に埋め込まれた状態でＰＣ柱２の長手方向（上下方向）に延在しており、ＰＣ柱２の上端及び下端に位置する端面２ａから突出している。
【００２０】
仕口部材１は、例えば予め工場で製造されたプレキャストコンクリート（プレキャスト部材）である。仕口部材１は、避雷導線Ｌが通される管路１１，１２を備える。管路１１，１２は、例えば仕口部材１に予め工場等で埋め込まれたシース管である。管路（第２管路）１１は、仕口部材１の鉛直方向の上面１ａに形成された開口１ｂから仕口部材１の側面１ｃに形成された開口（第２開口）１ｄに向かって湾曲して伸びており、管路（第１管路）１２は、仕口部材１の鉛直方向の下面１ｅに形成された開口１ｆから側面１ｃに形成された開口（第１開口）１ｇに向かって湾曲して伸びている。管路１１と管路１２とは重ならないように互いに離れて配置されており、管路１１の開口１ｄと管路１２の開口１ｇとは上下に並んで配置されている。
【００２１】
仕口部材１において、避雷導線Ｌは管路１１，１２に通されており、２本の避雷導線Ｌは側面１ｃの外側の位置で接続されている。このように、本実施形態に係る避雷導線Ｌの接続構造では、２本の避雷導線Ｌが側面１ｃに対向する位置で接続されている。２本の避雷導線Ｌは、例えば筒状の圧着端子によって接続されているが、この圧着端子以外の手段で接続されていてもよい。
【００２２】
また、２本の避雷導線Ｌの接続部分ＰはスラブコンクリートＣに埋め込まれている。スラブコンクリートＣは、例えば、ＰＣ床板（プレキャストコンクリート床板）Ｙの上に打設される床コンクリートであり、建物Ｓの各階の床スラブを構成している。仕口部材１の側面１ｃにおいて、各開口１ｄ，１ｇの高さは、打設されたスラブコンクリートＣに対向する高さ位置になっている。すなわち、仕口部材１の側面１ｃの開口１ｄ，１ｇは、スラブコンクリートＣの打設範囲内に入る位置に形成されている。これにより、開口１ｄ，１ｇは打設されたスラブコンクリートＣに埋め込まれている。なお、図示は省略しているが、管路１１，１２の内部にはグラウトが充填されている。
【００２３】
図２（ａ）に示されるように、仕口部材１には格子状に複数の鉄筋Ｆが打ち込まれており、管路１１，１２は鉄筋Ｆを避ける位置に配置されている。また、図２（ｂ）に示されるように、ＰＣ柱２にも格子状に鉄筋Ｆが打ち込まれており、避雷導線Ｌは鉄筋Ｆを避ける位置に配置されている。水平面上における管路１１，１２の位置は、仕口部材１の中央よりも隅部側に位置しており、これにより中央付近に位置するグラウト等の注入穴との干渉が回避されている。
【００２４】
なお、図２（ａ）及び図２（ｂ）は鉄筋Ｆの図示を簡略化しており、実際は、仕口部材１及びＰＣ柱２には、より多くの鉄筋Ｆが縦横に配置されている。また、ＰＣ梁３には複数の主筋と複数のあばら筋が打ち込まれており、例えば、避雷導線Ｌの接続部分ＰはＰＣ梁３の主筋及びあばら筋の間に押し込まれ、これらの主筋及びあばら筋の間に入り込んだ状態で固定されている。
【００２５】
次に、仕口部材１における避雷導線Ｌの接続方法について図３〜図６を参照しながら説明する。以下では、下側のＰＣ柱２から上側に突出する避雷導線Ｌを第１避雷導線Ｌ１、上側のＰＣ柱２から下側に突出する避雷導線Ｌを第２避雷導線Ｌ２、として説明する。この接続方法では、第１避雷導線Ｌ１の端部と第２避雷導線Ｌ２の端部とが接続される。
【００２６】
まず、図３に示されるように、仕口部材１の直下にＰＣ柱２を配置して、ＰＣ柱２の上側に突出する第１避雷導線Ｌ１を仕口部材１の下面１ｅの開口１ｆに下から挿入する。第１避雷導線Ｌ１を下から開口１ｆに挿入していくと、第１避雷導線Ｌ１は、管路１２内で上方且つ側面１ｃ側に移動し、その後側面１ｃの開口１ｇから突出する。このように第１避雷導線Ｌ１を開口１ｇから突出させて第１避雷導線Ｌ１を開口１ｇから引っ張り出した状態として、仕口部材１の下側にＰＣ柱２を接続させる（第１避雷導線Ｌ１を仕口部材１の側面１ｃに位置する開口１ｇから突出させる工程）。
【００２７】
次に、図４に示されるように、仕口部材１の直上に別のＰＣ柱２を配置して、ＰＣ柱２の下側に突出する第２避雷導線Ｌ２を仕口部材１の上面１ａの開口１ｂに上から挿入する。第２避雷導線Ｌ２を上から開口１ｂに挿入していくと、第２避雷導線Ｌ２は、管路１１内で下方且つ側面１ｃ側に移動し、その後側面１ｃの開口１ｄから突出する。このように第２避雷導線Ｌ２を開口１ｄから突出させて第２避雷導線Ｌ２を開口１ｄから引っ張り出した状態として、仕口部材１の上側にＰＣ柱２を接続させる（第２避雷導線Ｌ２を仕口部材１の側面１ｃに位置する開口１ｄから突出させる工程）。
【００２８】
続いて、図５に示されるように、側面１ｃの外側に引っ張り出された第１避雷導線Ｌ１と第２避雷導線Ｌ２とを接続させる。具体的には、例えば、筒状の圧着端子によって第１避雷導線Ｌ１と第２避雷導線Ｌ２とを結束した後に、結束した部分から伸び出す余剰な先端部分を切断することによって、第１避雷導線Ｌ１と第２避雷導線Ｌ２とを接続させる。
【００２９】
このように第１避雷導線Ｌ１と第２避雷導線Ｌ２を接続させて、側面１ｃに対向する位置で第１避雷導線Ｌ１と第２避雷導線Ｌ２との接続部分Ｐを形成する（第１避雷導線Ｌ１と第２避雷導線Ｌ２とを側面１ｃに対向する位置で接続させる工程）。最後に、図６に示されるように、ＰＣ床板Ｙに上からスラブコンクリートＣを打設して接続部分ＰをスラブコンクリートＣに埋め込むことによって２本の避雷導線Ｌ１，Ｌ２の接続が完了する（接続部分ＰをスラブコンクリートＣで埋める工程）。
【００３０】
次に、本実施形態に係る仕口部材１、避雷導線Ｌ１，Ｌ２の接続構造、及び避雷導線Ｌ１，Ｌ２の接続方法における作用効果について説明する。仕口部材１、避雷導線Ｌ１，Ｌ２の接続構造、及び避雷導線Ｌ１，Ｌ２の接続方法では、第１避雷導線Ｌ１が通される管路１２が下面１ｅに位置する開口１ｆから側面１ｃに位置する開口１ｇにまで伸びており、第２避雷導線Ｌ２が通される管路１１が上面１ａに位置する開口１ｂから側面１ｃに位置する開口１ｄにまで伸びている。よって、ＰＣ柱２のそれぞれに埋め込まれた避雷導線Ｌ１，Ｌ２は、下面１ｅの開口１ｆから側面１ｃの開口１ｇ、及び上面１ａの開口１ｂから側面１ｃの開口１ｄに通されるので、側面１ｃの開口１ｄ，１ｇから避雷導線Ｌ１，Ｌ２を突出させて、これらの避雷導線Ｌ１，Ｌ２を接続させることができる。
【００３１】
よって、従来、避雷導線の接続のために形成されていた欠き込み部（例えば、柱の側面の下端に形成された欠き込み部）のような構造を仕口部材１、ＰＣ柱２のいずれにも設ける必要がない。従って、避雷導線Ｌ１，Ｌ２接続後における欠き込み部への左官補修等も不要となるため施工性を向上させることができる。また側面１ｃの開口１ｄ，１ｇから突出させた避雷導線Ｌ１，Ｌ２は、接続後にスラブコンクリートＣで埋め込まれるので、避雷導線Ｌ１，Ｌ２の接続部分Ｐの被り厚さを十分に確保することができる。従って、避雷導線Ｌ１，Ｌ２の接続部分Ｐ等で爆裂が生じる事態を確実に回避することができる。
【００３２】
また、仕口部材１は、管路１１，１２が予め埋め込まれたプレキャスト部材である。よって、現場では、管路１１，１２に避雷導線Ｌ１，Ｌ２を通して避雷導線Ｌ１，Ｌ２を接続し、避雷導線Ｌ１，Ｌ２の接続部分Ｐを埋め込むだけで施工を完了させることができる。従って、施工性がより向上される。
【００３３】
また、仕口部材１では、下面１ｅの開口１ｆに下から避雷導線Ｌ１を通して側面１ｃから突出させ、上面１ａの開口１ｂから別の避雷導線Ｌ２を通して側面１ｃから突出させ、側面１ｃから突出させた２本の避雷導線Ｌ１，Ｌ２を接続させている。従って、上側のＰＣ柱２から下方に伸びる避雷導線Ｌ２と、下側のＰＣ柱２から上方に伸びる避雷導線Ｌ１とを、仕口部材１の側面１ｃ付近で接続させることができる。
【００３４】
また、側面１ｃに対向する位置にはスラブコンクリートＣが打設され、開口１ｄ，１ｇの高さ位置は、打設されるスラブコンクリートＣに対向する高さ位置となっている。従って、スラブコンクリートＣの打設によって、開口１ｄ，１ｇがスラブコンクリートＣに埋め込まれると共に、開口１ｄ，１ｇから突出させた避雷導線Ｌ１，Ｌ２の接続部分ＰもスラブコンクリートＣに埋め込まれる。よって、スラブコンクリートＣの埋め込みによって避雷導線Ｌ１，Ｌ２の接続部分Ｐを確実に埋め込むことができ接続部分Ｐの被り厚さを十分に確保することができるので、施工性を向上させると共に接続部分Ｐ等で生じる爆裂の可能性を一層低減させることができる。
【００３５】
以上、本発明の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００３６】
例えば、前述の実施形態では、仕口部材１が２本の管路１１，１２を備えており、管路１１は上面１ａの開口１ｂから側面１ｃの開口１ｄに向かって湾曲して伸びており、管路１２は下面１ｅの開口１ｆから側面１ｃの開口１ｇに向かって湾曲して伸びている例について説明したが、管路１１，１２の形状は、この例に限定されず適宜変更可能である。しかしながら、管路１１，１２が側面１ｃに向かう方向に湾曲されている場合には、管路１１，１２内で避雷導線Ｌ１，Ｌ２をスムーズに挿入できるという利点はある。
【００３７】
また、前述の実施形態では、仕口部材１の側面１ｃに配置された開口１ｄと開口１ｇとが上下に並んで配置されている例について説明したが、この例に限定されない。すなわち、仕口部材の側面に配置される開口の位置は適宜変更可能である。
【００３８】
また、仕口部材１は、２本の管路１１，１２を備えていなくてもよく、管路１１，１２のいずれか一本のみを備えていてもよい。すなわち、上面１ａの開口１ｂから側面１ｃに位置する開口１ｄにまで伸びる管路１１、及び下面１ｅの開口１ｆから側面１ｃに位置する開口１ｇにまで伸びる管路１２、のいずれかのみが設けられていてもよい。
【００３９】
また、ＰＣ柱２及びＰＣ梁３の構成を適宜変更することも可能である。そして、仕口部材１に接続される部材はＰＣ柱２及びＰＣ梁３でなくてもよく、ＰＣ柱２及びＰＣ梁３以外の部材が仕口部材１に接続されてもよい。更に、前述の実施形態では、ＰＣ床板Ｙに上からスラブコンクリートＣが打設されたが、ＰＣ床板Ｙ以外の部材（例えば型枠又はデッキスラブ）にスラブコンクリートＣが打設されてもよい。
【符号の説明】
【００４０】
１…仕口部材、１ａ…上面、１ｂ…開口、１ｃ…側面、１ｄ…開口（第２開口）、１ｅ…下面、１ｆ…開口、１ｇ…開口（第１開口）、２…ＰＣ柱（柱）、３…ＰＣ梁、１１…管路（第２管路）、１２…管路（第１管路）、Ｃ…スラブコンクリート、Ｆ…鉄筋、Ｌ…避雷導線、Ｌ１…第１避雷導線、Ｌ２…第２避雷導線、Ｐ…接続部分、Ｓ…建物。
【図１】
0006431830.tif 000002
【図２】
0006431830.tif 000003
【図３】
0006431830.tif 000004
【図４】
0006431830.tif 000005
【図５】
0006431830.tif 000006
【図６】
0006431830.tif 000007